(57)【特許請求の範囲】
【請求項１】
弾力性のある同一長さの二本の細い棒材をほぼ平行に並べ、二本の棒材のそれぞれの上端に同一形状の連結部材を対称的に取り付け、この連結部材間に弾力性のある線材を波状に屈曲させたバネをその上端が連結部材よりも上にはみ出さないように差し渡し、二本の棒材のそれぞれの下端には棒材よりもやや直径が大きい止め具をはめ、更にボールチェーンの両端に取り付けたカップリングを二本の棒材のそれぞれに一つずつ通して二本の棒材間にボールチェーンを掛け渡し、ボールチェーンが上記棒材の両端に取り付けられている連結部材と止め具の間を自由に摺動可能としたことを特徴とするネクタイ用保持具。
【発明の詳細な説明】
【０００１】
【発明の属する技術分野】
本発明は、水洗いしてしみや汚れ等を落した後の湿ったネクタイの大きい方の剣先部の内側に装入して、ネクタイを張り広げて乾かすことによって、ネクタイを型崩れすることなく、またしわの発生もなく復元することができるようにしたネクタイ用保持具に関するものである。
【０００２】
【従来の技術】
ネクタイには主に絹が使用される。絹そのものは水洗いできる繊維であるが、ネクタイは水洗いすることを前提にしては製造されていないので、水洗いすると型崩れして、汚れは落ちたものの着用できなくなるということが多い。そのために、ネクタイの洗濯は家庭では困難とされており、クリーニング業者でドライクリーニングをするのが普通である。
【０００３】
出願人は、ネクタイに付着したしみや汚れ等を取り除く際に、ネクタイを平らになるように伸ばすための治具として、実用新案登録第３０３１８５８号及び第３０３７０３７号公報に示すようなアーチ形をしたバネに二本の細長い棒材が接続している形状の「ネクタイの染み抜き用ホルダー」を提案した。
【０００４】
しかしながら、これらいずれのホルダーもしみ抜き作業を終わった後にネクタイから棒材を引き出すときに、アーチの形をしたバネの力によって棒材の先がはねて人を傷つける恐れがある。
【０００５】
また、これらいずれのホルダーもアーチの形をしたバネの先にホルダー棒がついているが、ネクタイを平らになるように伸ばすための治具としての機能を充分に発揮させるためには、ホルダー棒の長さは最低でも約６０ｃｍが必要である。いずれのホルダーの場合も、更にアーチの形をしたバネの分の長さが加わるので、通常郵便物の料金で送ることができる最大長さの６０ｃｍを超えることになり、輸送コストに不利が生じる。
【０００６】
【発明が解決しようとする課題】
本発明は、水洗いしてしみや汚れ等を落とした後の湿ったネクタイの大きい方の剣先部の内側に挿入して、ネクタイを張り広げるための張り具において、取り扱い時の安全性が高く、且つ通常郵便物の料金で送ることができる最大長さの６０ｃｍを超えないで、しかもネクタイを張り広げるために必要な最低長さの約６０ｃｍを確保することができる構造の張り具を提供することにある。
【０００７】
【課題を解決するための手段】
前記技術的課題は、次の通りの本発明によって解決できる。
【０００８】
即ち、本発明に係るネクタイ用保持具は、弾力性のある同一長さの二本の細い棒材をほぼ平行に並べ、二本の棒材のそれぞれの上端に同一形状の連結部材を対称的に取り付け、この連結部材間に弾力性のある線材を波状に屈曲させたバネをその上端が連結部材よりも上にはみ出さないように差し渡し、二本の棒材のそれぞれの下端には棒材よりもやや直径が大きい止め具をはめ、更にボールチェーンの両端に取り付けたカップリングを二本の棒材のそれぞれに一つずつ通して二本の棒材間にボールチェーンを掛け渡し、ボールチェーンが棒材の両端に取り付けられている連結部材と止め具の間を自由に摺動することができるようになっている。
【０００９】
本発明に係るネクタイ用保持具は、二本の棒材をネクタイの大きい方の剣先部の内側に挿入するとバネと棒材の弾力によってネクタイが張り広げられた状態になる。バネは、その上端が連結部材よりも上にはみ出さない位置に取り付けることが必要である。その理由は、通常郵便物の料金で送ることができる最大長さの６０ｃｍを超えないで、ネクタイを張り広げるために必要な最低の長さの約６０ｃｍを得ることを可能にするためである。
【００１０】
棒材は、細すぎるとネクタイを張り広げるための充分な力が得られず、また太すぎると棒に接触したネクタイの縁が丸くなるので好ましくない。棒材の太さは、直径２．９ｍｍ程度が適当である。棒材の長さは、連結部と止め具を装着した全長が通常郵便物の料金で送ることができる最大長さの６０ｃｍを超えないことが求められる。
【００１１】
また、本発明に係るネクタイ用保持具は、二本の細い棒材の間に両端にカップリングを有するボールチェーンをかけている。その目的は、バネの力によって広がった二本の棒材の間隔を制御してネクタイへの挿入を容易にするためであり、またネクタイから棒材を引き出したときに棒材がはねて不測の事故が起きることを防止するためである。ボールチェーンと一体になっているカップリングは、ネクタイに保持具を挿着するときには二本の棒材の先端に位置し、挿入するにしたがって棒材の後部に摺動し、ネクタイから保持具を引き出すにしたがって再び棒材の先端に摺動することが必要である。この摺動を円滑にするためには、直径２．９ｍｍの棒材に対してカップリングの内径は３．３ｍｍ、外径は５．１ｍｍが適当である。
【００１２】
また、棒材の先端には棒材よりもやや直径が大きい止め具をはめ、棒材からカップリングが抜け落ちるのを防止する。
【００１３】
【発明の実施の形態】
以下、本発明の実施の形態を図面に基づき説明する。
図１は本発明のネクタイ用保持具の説明図である。弾力性のある同一長さの二本の細い棒材３、３をほぼ平行に並べ、二本の棒材３、３のそれぞれの上端に同一形状の連結部材２、２を対称的に取り付け、この連結部材２、２間に弾力性のある線材を波状に屈曲させたバネ１をその上端が連結部材２、２よりも上にはみ出さないように差し渡し、二本の棒材３、３のそれぞれの下端には棒材よりもやや直径が大きい止め具６、６をはめ、更にボールチェーン５の両端に取り付けたカップリング４、４を二本の棒材３、３のそれぞれに一つずつ通して二本の棒材３、３間にボールチェーン５を掛け渡し、ボールチェーン５が棒材３、３の両端に取り付けられている連結部材２、２と止め具６、６の間を自由に摺動できるようになっている。
【００１４】
本発明の実施の形態の一例について更に詳細に説明する。  図１に示すネクタイ用保持具の連結部材２の先端から棒材の先の止め具６の先端までの全長は、５９６ｍｍとした。棒材３、３は、直径２．９ｍｍの鋼鉄棒を熱処理したものを使用した。この太さの棒材３、３を使用することにより、ネクタイを張り広げるための充分な力が得られ、且つ棒に接触したネクタイの縁が丸くなることもないという条件を満たした。連結部材２、２は、それぞれの下端に棒材３、３を差し込む孔を一つずつ有し、また連結部材２、２の間に弾力性のある線材を波状に屈曲させたバネ１を差し渡したときにバネ１の上端が連結部材よりも上にはみ出さないという条件を満たす位置にバネの取り付け孔を有する。連結部材２、２は、この条件を満たすものであれば、その形に特にこだわらないが、図１に示す連結部材２、２は、全長８０ｍｍ、厚さ５ｍｍ、広い部分の幅１５ｍｍ、狭い部分の幅８ｍｍ、広い部分の端に棒材の挿入孔、狭い部分から広い部分に移行するところにバネ１の取り付け孔を有するものをグラスファイバー入りポリカーボネート樹脂を用いて射出成型により得た。バネ１は、１．８φ×４５０ｍｍの鋼鉄線材を図１に示すように左右対称の三つの波状に折り曲げ、中央部の波は蛸頭状にし、且つ左右の波よりも高くなるようにしたものを熱処理して、バネの上端が連結部材よりも上にはみ出さず、且つネクタイを張り広げるのに適した張力を有するものを得た。カップリング４、４は、厚さ０．６ｍｍの真鍮板を型抜きして、内径３．３ｍｍ、外径５．１ｍｍのものを得た。ボールチェーン５は、直径３ｍｍの真鍮製のボールをつないだ長さ８２ｍｍのものを使用した。止め具６、６は、自動切削旋盤で真鍮棒を削り出して、直径５ｍｍ、長さ１１ｍｍで一端に直径２．９ｍｍの棒材３を差し込む孔を有するものを作製して用いた。
【００１５】
上記の各部材を次の手順にしたがって組み合わせてネクタイ用保持具を作製した。
【００１６】
二本の棒材３、３をほぼ平行に並べ、二本の棒材３、３のそれぞれの上端に連結部材２、２を対称的に取り付け、連結部材２、２のそれぞれのバネ挿入孔にバネ１の端末を挿入して連結部材２、２間にバネ１を差し渡す。ボールチェーン５の両端に取り付けたカップリング４、４を二本の棒材３、３のそれぞれに一つずつ通して二本の棒材３、３間にボールチェーン５を掛け渡し、二本の棒材３、３のそれぞれの下端に止め具６、６を取り付ける。
【００１７】
次に、使用方法について説明する。
【００１８】
ネクタイの大きい方の剣先部の内側に二本の棒材３、３を挿入する。この際、二本の棒材３、３を手ではさんで両者の間隔をせばめて棒材３、３の先を下に向けると、カップリング４、４とそれにつながっているボールチェーン５が棒材の先端に移動するので、二本の棒材３、３の間隔をネクタイの剣先部の挿入幅に容易に合わせることができる。棒材３、３をそのまま挿入してゆくとボールチェーン５はネクタイの裏地と表地を固定するとめ糸に邪魔されて先に進むことができないので、カップリング４、４とそれにつながっているボールチェーン５は次第に連結部材２、２の方に摺動する。ボールチェーン５が連結部材２、２の方に移動するにつれて、二本の棒材３、３はバネ１によるＶ字状に広がろうとする張力を強く受けて、ネクタイを張り広げる。水洗いしてしみや汚れを落とした後の湿ったネクタイをこの状態にして乾かすことにより、ネクタイを型崩れすることなく、またしわの発生もなく復元することができる。乾燥したネクタイからネクタイ用保持具の棒材３、３を引き出すとき、ボールチェーン５の両端についているカップリング４、４は、棒材３、３とバネ１の張力によってネクタイに押しつけられているために、ネクタイ内部に留まって次第に棒材３、３の先端の止め具６、６の方に摺動する。ネクタイからネクタイ用保持具を引き出したときには、ボールチェーン５は棒材３、３の先端にかかっており、棒材３、３の先がはねることがなく安全である。
【００１９】
なお、本発明によるネクタイ用保持具は、ネクタイを洗った時に使用するだけでなく、ネクタイのしわ伸ばし用としても使用できる。
【００２０】
【発明の効果】
以上説明した通り、本発明によるネクタイ用保持具は、水洗いしてしみや汚れ等を落とした後の湿ったネクタイの大きい方の剣先部の内側に挿入して、ネクタイを張り広げて乾かすことによって、ネクタイを型くずれすることなく、またしわの発生もなく復元することができ、更に取り扱い時の安全性が高く、且つ通常郵便物の料金で送ることができる最大長さの６０ｃｍを超えないで、しかもネクタイを張り広げるために必要な最低の長さの約６０ｃｍを確保できる構造を有するものである。それゆえ、本発明の産業上利用性は非常に高いと言える。
【図面の簡単な説明】
【図１】本発明の実施の形態の一例を示す説明図である。
【図２】図１の部分拡大説明図である。
【符号の説明】
１  バネ
２  連結部材
３  棒材
４  カップリング
５  ボールチェーン
６  止め具
【要約】【課題】水洗いしたネクタイの剣先部の内側に挿入して、ネクタイを張り広げるための張り具において、取り扱い時の安全性が高く、且つ通常郵便物の料金で送付可能な最大長さの６０ｃｍを超えず、しかもネクタイを張り広げるために必要な最低の長さ約６０ｃｍを確保することを可能とした構造の張り具を提供すること。
【解決手段】弾力性のある同一長さの二本の細い棒材３、３をほぼ平行に並べ、その各上端に同一形状の連結部材２、２を対称的に取り付け、この連結部材２、２間に弾力性のある線材を波状に屈曲させたバネ１をその上端が連結部材２、２よりも上にはみ出ないように差し渡し、二本の棒材３、３の各下端には棒材３、３よりもやや直径が大きい止め具６、６をはめ、更に両端にカップリング４、４を有するボールチェーン５を二本の棒材３、３間に掛け渡し、ボールチェーン５が棒材３、３の両端に取り付けられている連結部材２、２と止め具６、６の間を自由に摺動可能なことを特徴とする。
【選択図】  図１【図１】
0003548982.tif 000002
【図２】
0003548982.tif 000003